(57)【要約】【課題】構成を簡単にしてコストの低減を図りつつメンテナンスが容易なこと。【解決手段】前方側に対して後方側が低くなるよう傾斜して商品１００をその自重により滑らせて吊下げ収容するものであり、構築するフレーム材は上下に配設されるとともに前後に延在する左右一対の支持フレーム材２１，２２、この支持フレーム材２１，２２に固着された前後一対の縦フレーム材２３および前方の縦フレーム材２３に上下方向に複数架設された梁部材２４からなり、商品支持ユニット３０は商品１００を挟むように間隔をおいて配置された左右一対の挟持部材３１およびこの挟持部材３１を連結する前後の連結部材３２，３３からなり、商品支持ユニット３０から左右に突出する係合部を後方側の縦フレーム材の係合部に係合させ、商品支持ユニット３０の前側の連結部材３２を梁部材に係止させている。【選択図】図３
2020107049.tif 000002
【特許請求の範囲】
【請求項１】
飲み口部分に引っ掛け部を有する商品を販売する自動販売機の商品収納ラックであって、上下左右のフレーム材により商品収納ラックの枠体を構築し、左右のフレーム材に上下方向に複数段架設され、前記商品の引っ掛け部を支持し、かつ、前方側（商品投入側）に対して後方側が低くなるよう傾斜して前記商品をその自重により滑らせて吊下げ収容するとともに後端部に商品搬出機構を有する商品支持ユニットを設け、当該商品支持ユニットは商品収納ラックを構築するフレーム材に着脱自在に架設されてなる自動販売機の商品収納ラックにおいて、
前記フレーム材は上下に配設されるとともに前後に延在する左右一対の支持フレーム材、この支持フレーム材に固着された前後一対の縦フレーム材および前方の縦フレーム材に上下方向に複数架設された梁部材からなり、商品支持ユニットは商品を挟むように間隔をおいて配置された左右一対の挟持部材およびこの挟持部材を連結する前後の連結部材からなり、前記商品支持ユニットから左右に突出する係合部を後方側の縦フレーム材の係合部に係合させ、かつ、前記商品支持ユニットの前側の連結部材を梁部材に係止させたことを特徴とする自動販売機の商品収納ラック。
【請求項２】
前記支持フレーム材の後方側に取り付けられた背板および側面板により閉塞されることにより垂直方向に延在して形成され、前記商品支持ユニットから搬出された商品が落下する商品搬出通路と、
前記背板および前記側面板の下方に後方側ほど高く前方に向かうにしたがって下方に傾斜するよう取り付けられ、かつ前記商品搬出通路を落下した商品を傾斜に沿って送出する送出部材と
を備えたことを特徴とする請求項１に記載の自動販売機の商品収納ラック。
【請求項３】
前記商品搬出機構は、
駆動源であるソレノイドと、
前記挟持部材の相互間に形成された商品収容通路の延在方向に直交する態様で進退移動可能に設けられ、前記ソレノイドが非励磁状態となる場合に、前記商品収容通路に進出移動して最も後方に配置された最後方商品を係止する一方、前記ソレノイドが励磁状態となる場合に、前記商品収容通路から退避移動して該最後方商品との係止状態が解除されて該最後方商品が搬出されることを許容する第１のストッパと、
前記商品収容通路の延在方向に直交する態様で進退移動可能に設けられ、前記ソレノイドが非励磁状態となる場合に、前記商品収容通路から退避移動する一方、前記ソレノイドが励磁状態となる場合に、前記商品収容通路に進出移動して前記最後方商品の隣接する後方から二番目の商品を係止する第２のストッパと
を備えたことを特徴とする請求項１又は請求項２に記載の自動販売機の商品収納ラック。
【請求項４】
前記商品支持ユニットから左右に突出する係合部は段付ねじであり、前記後方側の縦フレーム材の係合部は前記段付ねじを受容する切欠であることを特徴とする請求項１又は請求項２に記載の自動販売機の商品収納ラック。
【請求項５】
前記挟持部材は、一方の面に潤滑性の塗膜が施された薄板の塗膜鋼板により形成され、所定の間隙をおいて対峙する前記挟持部材の端部を、当該塗膜鋼板の他方の面同士が接するようにダブルホールドして滑り木状に形成したことを特徴とする請求項１又は請求項２に記載の自動販売機の商品収納ラック。
【発明の詳細な説明】
【技術分野】
【０００１】
この発明は、飲み口部分に引っ掛け部を有する商品を販売する自動販売機であって、前記商品を吊下げ支持し、かつ、前方側（商品投入側）に対して後方側が低くなるよう傾斜して前記商品をその自重により滑らせて収容するとともに後端部に商品搬出機構を備えた自動販売機の商品収納ラックに関する。
【背景技術】
【０００２】
自動販売機で取り扱う商品は多様化しており、飲料が充填された容器が硬質の缶入り商品、ペットボトル入り商品に加えて、ゼリー状の飲食物を可撓性袋状容器に充填し、可撓性袋状容器に硬質の合成樹脂からなる注出口部としてのスパウトを固着して飲み口とし、前記スパウトにキャップを装着した商品（以下、パウチ商品ともいう）を販売可能とする自動販売機が要求され、このパウチ商品を販売可能とした自動販売機が知られている（例えば、特許文献１）。
【０００３】
特許文献１に開示された自動販売機においては本体キャビネットの庫内に上下複数段に配列された商品収納ラックを備え、それぞれの商品収納ラックの商品載置面に所定の間隔をおいて左右方向に複数の仕切壁を設け、隣接する仕切壁間を商品収納通路として商品を前後（奥行き）方向に並べて収容するとともにそれぞれの商品収納通路に商品を前方に押圧するプッシャ部材を設け、商品選択ボタンの操作によりプッシャ部材を駆動して商品を押出すように構成されている。
【先行技術文献】
【特許文献】
【０００４】
【特許文献１】特開２００５−２２８０５８号公報
【発明の概要】
【発明が解決しようとする課題】
【０００５】
特許文献１に開示された自動販売機においては商品収納ラックが水平に配置されており、当該商品収納ラックの商品収納通路に商品を載置して収容するように構成されている。このため容器形態が軟弱なパウチ商品を収納するとパウチ商品の収納姿勢が乱れ、かつ、パウチ商品を後方からプッシャ部材にて押圧するとパウチ商品が潰れて販売することができないおそれがある。そこで、この特許文献１に開示された商品収納ラックにおいては、パウチ商品のスパウトに設けられたフランジを引っ掛け部として支持すれば商品が起立することに着目し、パウチ商品のスパウトを挟むように間隙をおいて配置された商品支持部材を設け、この商品支持部材に前記フランジを引っ掛けるようにパウチ商品を装填して収容するとともに前記商品支持部材に近接して前後のスプロケット間に張架された搬送チェーンにパウチ商品のスパウト（もしくはキャップ）を後方から押圧する複数の商品仕切ピンを配設し、販売時に搬送チェーンを駆動して商品仕切ピンによりパウチ商品を押出すように構成されている。この特許文献１に開示された自動販売機においては容器形態が軟弱なパウチ商品を販売することができる点で優れているが、商品収納ラックの構成が複雑となりコストが嵩むという課題を有する。
【０００６】
そこで、本発明は上記の点に鑑みなされたものであり、その目的は前記課題を解決し、飲み口部分に引っ掛け部を有する商品を収容することが可能な商品収納ラックの構成を簡単にしてコストの低減を図りつつメンテナンスが容易な自動販売機の商品収納ラックを提供することにある。
【課題を解決するための手段】
【０００７】
上記目的を達成するために、本発明に係る自動販売機の商品収納ラックは、飲み口部分に引っ掛け部を有する商品を販売する自動販売機の商品収納ラックであって、上下左右のフレーム材により商品収納ラックの枠体を構築し、左右のフレーム材に上下方向に複数段架設され、前記商品の引っ掛け部を支持し、かつ、前方側（商品投入側）に対して後方側が低くなるよう傾斜して前記商品をその自重により滑らせて吊下げ収容するとともに後端部に商品搬出機構を有する商品支持ユニットを設け、当該商品支持ユニットは商品収納ラックを構築するフレーム材に着脱自在に架設されてなる自動販売機の商品収納ラックにおいて、前記フレーム材は上下に配設されるとともに前後に延在する左右一対の支持フレーム材、この支持フレーム材に固着された前後一対の縦フレーム材および前方の縦フレーム材に上下方向に複数架設された梁部材からなり、商品支持ユニットは商品を挟むように間隔をおいて配置された左右一対の挟持部材およびこの挟持部材を連結する前後の連結部材からなり、前記商品支持ユニットから左右に突出する係合部を後方側の縦フレーム材の係合部に係合させ、かつ、前記商品支持ユニットの前側の連結部材を梁部材に係止させたことを特徴とする。
【０００８】
また本発明は、上記自動販売機の商品収納ラックにおいて、前記支持フレーム材の後方側に取り付けられた背板および側面板により閉塞されることにより垂直方向に延在して形成され、前記商品支持ユニットから搬出された商品が落下する商品搬出通路と、前記背板および前記側面板の下方に後方側ほど高く前方に向かうにしたがって下方に傾斜するよう取り付けられ、かつ前記商品搬出通路を落下した商品を傾斜に沿って送出する送出部材とを備えたことを特徴とする。
【０００９】
また本発明は、上記自動販売機の商品収納ラックにおいて、前記商品搬出機構は、駆動源であるソレノイドと、前記挟持部材の相互間に形成された商品収容通路の延在方向に直交する態様で進退移動可能に設けられ、前記ソレノイドが非励磁状態となる場合に、前記商品収容通路に進出移動して最も後方に配置された最後方商品を係止する一方、前記ソレノイドが励磁状態となる場合に、前記商品収容通路から退避移動して該最後方商品との係止状態が解除されて該最後方商品が搬出されることを許容する第１のストッパと、前記商品収容通路の延在方向に直交する態様で進退移動可能に設けられ、前記ソレノイドが非励磁状態となる場合に、前記商品収容通路から退避移動する一方、前記ソレノイドが励磁状態となる場合に、前記商品収容通路に進出移動して前記最後方商品の隣接する後方から二番目の商品を係止する第２のストッパとを備えたことを特徴とする。
【００１０】
また本発明は、上記自動販売機の商品収納ラックにおいて、前記商品支持ユニットから左右に突出する係合部は段付ねじであり、前記後方側の縦フレーム材の係合部は前記段付ねじを受容する切欠であることを特徴とする。
【００１１】
また本発明は、上記自動販売機の商品収納ラックにおいて、前記挟持部材は、一方の面に潤滑性の塗膜が施された薄板の塗膜鋼板により形成され、所定の間隙をおいて対峙する前記挟持部材の端部を、当該塗膜鋼板の他方の面同士が接するようにダブルホールドして滑り木状に形成したことを特徴とする。
【発明の効果】
【００１２】
本発明によれば、飲み口部分に引っ掛け部を有する商品を販売する自動販売機の商品収納ラックであって、上下左右のフレーム材により商品収納ラックの枠体を構築し、左右のフレーム材に上下方向に複数段架設され、前記商品の引っ掛け部を支持し、かつ、前方側（商品投入側）に対して後方側が低くなるよう傾斜して前記商品をその自重により滑らせて吊下げ収容するとともに後端部に商品搬出機構を有する商品支持ユニットを設け、当該商品支持ユニットは商品収納ラックを構築するフレーム材に着脱自在に架設されてなる自動販売機の商品収納ラックにおいて、前記フレーム材は上下に配設されるとともに前後に延在する左右一対の支持フレーム材、この支持フレーム材に固着された前後一対の縦フレーム材および前方の縦フレーム材に上下方向に複数架設された梁部材からなり、商品支持ユニットは商品を挟むように間隔をおいて配置された左右一対の挟持部材およびこの挟持部材を連結する前後の連結部材からなり、前記商品支持ユニットから左右に突出する係合部を後方側の縦フレーム材の係合部に係合させ、かつ、前記商品支持ユニットの前側の連結部材を梁部材に係止させたことにより、容器形態が軟弱なパウチ商品を収納する商品収納ラックを簡単な構成とすることができ、コストの低減を図ることが可能である。また、自動販売機の商品収納庫内に配設された商品収納ラックを構築するフレーム材に商品支持ユニットを簡単に装着したり、取り外したりすることができ、商品支持ユニットを着脱自在とすることによってメンテナンスを容易に行うことができる。
【図面の簡単な説明】
【００１３】
【図１】図１は、本発明の実施の形態である商品収納ラックが適用された自動販売機の全体構成を示す外扉開放状態の斜視図である。
【図２】図２は、図１に示した自動販売機の要部側面断面図である。
【図３】図３は、本発明の実施の形態である商品収納ラックを示すものであり、（ａ）および（ｂ）はそれぞれ商品支持ユニットの着脱を説明するための斜視図であり、（ｃ）は商品収納ラックの上部を拡大して示す斜視図である。
【図４】図４は、図３に示した商品支持ユニットを示すものであり、（ａ）は前方から見た場合を示す斜視図であり、（ｂ）は後方から見た場合を示す斜視図である。
【図５】図５は、図４に示した商品搬出機構のカバーを取り外した状態を示すものであり、（ａ）は分解斜視図、（ｂ）は要部拡大して示す斜視図である。
【図６】図６は、ベンド配線の結線を示す配線図である。
【図７】図７は、容器形態が軟弱なパウチ商品を示しており、（ａ）および（ｂ）はそれぞれ種類の異なるパウチ商品の正面図である。
【図８】図８は、商品支持ユニットに商品を装填する状態を示すものであり、（ａ）は商品支持ユニットに商品を装填する状態の模式図であり、（ｂ）は商品支持ユニットに商品を装填した状態を示す正面図である。
【図９】図９は、商品支持ユニットに商品を収容した状態を示す側面図である。
【図１０】図１０は、商品支持ユニットに装填されたパウチ商品が滑動する状態を示す説明図である。
【図１１】図１１は、商品搬出機構の搬出動作を説明するための平面図である。
【図１２】図１２は、サーペンタイン式の商品収納ラックとの互換性を持たせるためのアダプター部材を示し、（ａ）および（ｂ）はそれぞれ異なるアダプター部材の組付けを説明するための一部分解斜視図である。
【図１３】図１３は、商品支持ユニットに商品を収容した状態を示す側面図である。
【図１４】図１４は、図１に示した自動販売機の要部断面側面図であり、（ａ）はホット／コールド兼用室である中央の商品収納室の要部断面側面図であり、（ｂ）はホット／コールド兼用室である最も右側の商品収納室の要部断面側面図である。
【図１５】図１５は、図４に示した商品支持ユニットの変形例を示すものであり、（ａ）は前方から見た場合を示す斜視図であり、（ｂ）は後方から見た場合を示す斜視図である。
【図１６】図１６は、図１５に示した商品搬出機構のカバーを取り外した状態を示すものであり、（ａ）は分解斜視図、（ｂ）は要部拡大して示す斜視図である。
【図１７】図１７は、図４に示した商品支持ユニットの他の変形例を示すものであり、（ａ）は商品搬出機構の一部を分解した斜視図であり、（ｂ）は商品搬出機構の要部拡大平面図である。
【図１８】図１８は、図４に示した商品支持ユニットにおける商品搬出機構の更に他の変形例を示すものであり、（ａ）は販売待機時の平面図、（ｂ）は販売動作時の平面図である。
【発明を実施するための形態】
【００１４】
以下に図面を参照して、本発明に係る自動販売機の商品収納ラックの好適な実施の形態について詳細に説明する。
【００１５】
先ず図１および図２を用いて自動販売機の全体構造を説明する。図において、１は前面が開口した本体キャビネットである。前記本体キャビネット１は、鋼板製の外箱の内側、すなわち、上壁、左右側壁、背壁および底壁１ａにウレタンフォームからなる断熱ボードを配設して断熱筐体として構成されている。
【００１６】
前記本体キャビネット１の断熱ボードで囲まれた商品収納庫内は、断熱仕切板１１により左右方向に複数、この実施の形態では３つの商品収納室１２，１３，１４に区画されている。
【００１７】
左右の商品収納室１２，１４には、従来より良く知られている湾曲したセグメントを上下方向に連接したセグメント列を前後に対向配置して蛇行した商品通路を構成してなるサーペンタイン式の商品収納ラック１２１，１４１がそれぞれ左右２列ずつ収設されている。中央の商品収納室１３には、本発明により提供される後述するスラント式の商品収納ラック２０がそれぞれ収設されている。
【００１８】
前記商品収納ラック１２１，１４１，２０の下部には、前下がりに傾斜し、かつ、無数の穴が形成されたシュータ２が配置されている。前記シュータ２の下部には、それぞれの商品収納室１２，１３，１４を冷却もしくは加熱して商品収納ラック１２１，１４１，２０に収容した商品をコールド・ホット状態に保存する冷却ユニットもしくは冷却／加熱ユニットが配設されている。
【００１９】
また、前記本体キャビネット１の底壁１ａの下部は、機械室として形成され、この機械室には、前記冷却／加熱ユニットの冷却ユニットと冷凍サイクルを構成する圧縮機３（図２参照）、凝縮器４、膨張機構（図では隠れて見えない）および凝縮器４に送風する庫外ファン５が配設されている。
【００２０】
前記冷却ユニットのみが配設された商品収納室は、コールド専用室、冷却／加熱ユニットが配設された商品収納室は、ホット／コールド兼用室とされ、図に示す例では商品収納室１２がコールド専用室、商品収納室１３，１４がホット／コールド兼用室とされ、この場合、コールド専用室である商品収納室１２の庫内下部には機械室の圧縮機３、凝縮器４で圧縮、凝縮された冷媒が循環される蒸発器６、庫内ファン７が冷却ユニットとして設置されており、ホット／コールド兼用室である商品収納室１３，１４の庫内下部には前記蒸発器６、庫内ファン７に加えて商品加熱用のヒーター８が加熱ユニットとして設置されている。
【００２１】
そして、各商品収納室１２，１３，１４の背面には、循環用ダクト９が冷却ユニットもしくは冷却／加熱ユニットと連通して配備され、前記循環用ダクト９の上端９ａは、商品収納庫の略中段位置に開口している。なお、図１において、符号１２２、１４２は、商品収納ラック１２１，１４１を固定する固定金具である。
【００２２】
前記本体キャビネット１の前面に開閉自在に装着された外扉１０（図１参照）の前面には、良く知られているようにディスプレイ台に載置された商品見本のディスプレイ室が形成され、このディスプレイ室の前面を覆う透明板には各商品見本に対応して設けられた商品選択ボタンを備えた商品選択ボタンユニットが配設されるとともに、商品取出口１０ａに加えて硬貨投入口、紙幣投入口、釣銭返却口、返却レバー、シリンダー錠付きのハンドルロック装置などが組付けられている。
【００２３】
前記本体キャビネット１における商品収納庫の前面を閉塞する内扉１５は、この例では上下に分割されており、下部側の内扉１５には各商品収納室１２，１３，１４のシュータ２と対峙する位置に搬出扉１５ａにより常時閉塞された商品搬出口が設けられている。
【００２４】
前記商品搬出口の搬出扉１５ａは、上端を軸支されて常時商品搬出口を閉塞して冷気もしくは暖気の流出を防止しており、シュータ２を介して送出される商品により押し開かれるように形成されている。
【００２５】
さて、前記スラント式の商品収納ラック２０の構成について図３を用いて説明する。図に示すように、左右一対の上部支持フレーム材２１，２１および下部支持フレーム材２２，２２には、前方および中央付近にそれぞれ一対の縦フレーム材２３，２３がねじにより固着されている。
【００２６】
前記上部支持フレーム材２１，２１と、下部支持フレーム材２２，２２と、前方および中央付近（以下、後方側ともいう）に設けたそれぞれ一対の縦フレーム材２３，２３とが、商品収納ラック２０を構築するフレーム材を構成する。
【００２７】
前方の縦フレーム材２３，２３間には上下方向に複数の梁部材２４が固着され、後方側の縦フレーム材２３，２３の上端にも梁部材２４Ａが固着されている。上部支持フレーム材２１，２１および下部支持フレーム材２２，２２の後方側（図２から理解できるように奥行き側であり、以下後方を奥行きともいう）は、背板２５と側面板２６とにより閉塞されている。この閉塞された垂直方向に延在する空間は、商品が落下する商品搬出通路として形成されている。
【００２８】
また、背板２５の上部側には通風孔２５ａが形成されている。前記背板２５および側面板２６の下方には上方に開放したコ字状の送出部材２７が後方側ほど高く前方に向かうにしたがって下方に傾斜するように取付けられている。つまり、送出部材２７は、図２に示すように垂直の商品搬出通路をシュータ２および内扉１５の商品搬出口を介して外扉１０の商品取出口１０ａに連繋させるものである。
【００２９】
そして、送出部材２７の前端部にはクッション２８が貼着されており、このクッション２８は、送出部材２７とシュータ２との間の隙間を塞ぐ遮蔽部材として構成されている。なお、商品収納ラック２０の各部材は厚板鋼板により形成されており、この商品収納ラック２０は、本体キャビネット１（図１参照）の商品収納庫の天井に敷設した本体側フック金具５０，５５（図１２参照）に、上部支持フレーム材２１，２１を直接、または取付部材（アダプター部材）を介して取付けられる。この取付けについては後述する図１２にて説明する。
【００３０】
前記上部支持フレーム材２１，２１および下部支持フレーム材２２，２２に固着された前後の縦フレーム材２３、２３には、傾斜した商品支持ユニット３０が装着されている。
【００３１】
この商品支持ユニット３０の装着については後述するが、商品支持ユニット３０の装着のために後方側の左右一対の縦フレーム材２３には、上下方向に８つの切欠２３１が形成されている。この切欠２３１が縦フレーム材２３の係合部を構成する。
【００３２】
前記商品支持ユニット３０の構成を図４に示す。図に示すように、商品支持ユニット３０は左右一対の挟持部材３１，３１、これら挟持部材３１，３１を連結する前後の連結部材３２，３３、後方の連結部材３３の上に設置された商品搬出機構３４および外側に向かって突出するように左右一対の挟持部材３１，３１に固着された取付金具３５，３５とからなる。
【００３３】
なお、一方の取付金具３５（図４の（ａ）では左側の取付金具３５であり、以下これを左側の取付金具３５という）の背面には、ベンド配線６０（図３参照）の配線接続用カプラＣＰ１０が取付けられており、この配線接続用カプラＣＰ１０と対をなす配線接続用カプラＣＰ１１（図６参照）が、後方側の左右一対の縦フレーム材２３のうち、左側の縦フレーム材２３の切欠２３１の近傍位置であって当該縦フレーム材２３に取付金具（不図示）を介して固着されている。
【００３４】
前記左右一対の挟持部材３１，３１は、一方の面に潤滑塗膜が施された薄板の塗膜鋼板（以下、単に薄板鋼板ともいう）によりＬ字状に形成された長尺の部材からなり、それぞれ所定の間隙ｔをおいて対向配置されている。
【００３５】
前記間隙ｔを形成する左右一対の挟持部材３１，３１の脚端部は一方の面（塗膜面）が外側となるように折り曲げによりダブルホールド（参照符合３６を付している）されており、間隙ｔを形成する脚端部の上下両面が塗膜面（すなわち、潤滑性が良好な面）となっている。
【００３６】
前記左右一対の挟持部材３１，３１の脚端部のダブルホールド３６が滑り木状に形成された商品（パウチ商品１００）の引っ掛け部（フランジ１０５）と接触する部分を構成する。前記左右一対の挟持部材３１，３１によりパウチ商品を吊下げ支持するのであるが、パウチ商品の装填については後述することとする。
【００３７】
前記連結部材３２，３３は、間隙ｔを残して左右一対の挟持部材３１，３１を囲繞するように枠体として構成されている。前記左右一対の挟持部材３１，３１は、前記連結部材３２，３３にそれぞれねじにより強固に固着され、これにより左右一対の挟持部材３１，３１のそれぞれの脚端部の間に間隙ｔが一定に保たれている。
【００３８】
前方側の連結部材３２には、正面視Ｔ字形の取付片３２１が一体に形成されている。この取付片３２１は、図３に示した商品収納ラック２０の梁部材２４に係合するものであり、その上端は鉤状に折り曲げられ、かつ、脚片中央付近にはねじ孔３２２が形成されている。
【００３９】
前記取付金具３５は、厚板鋼板により断面ハット形に形成され、それぞれの鍔部が挟持部材３１，３１にねじ止めされている。取付金具３５の頭部には段付ねじ３５１が螺着されており、この段付ねじ３５１が図３に示した商品収納ラック２０における中央付近の縦フレーム材２３，２３に形成された切欠２３１に係合するものである。
【００４０】
前記商品搬出機構３４は、ベース３４１とカバー３４２とからなる箱体の内部に搬出機構が組み込まれたものであり、その搬出機構を図５に示す。
【００４１】
図５は、前記商品搬出機構３４のカバー３４２を取り外した状態の斜め上方から見た斜視図である。図において、４０は駆動源としてのソレノイドであり、このソレノイド４０のプランジャー４１には、ストッパ部材４２が連結されている。
【００４２】
ストッパ部材４２は、プランジャー４１の移動方向に平行な長孔４３，４３に段付ねじ４２１，４２１が遊嵌されており、プランジャー４１の移動方向にスライド自在に配設されるとともに復帰ばね４４が装着されている。
【００４３】
また、前記ストッパ部材４２の後端部には、下方に延在する第１のストッパ４５および第２のストッパ４６が形成されている。なお、第２のストッパ４６はカバー３４２および左右の挟持部材３１，３１を連結する連結部材３３に設けた開口（不図示）を貫通して下方に延在している。また、第２のストッパ４６には、図４に示したように先端に折り曲げにより後方側に向かって傾斜した押圧片４６２を備えた係止部材４６１が係止されている。
【００４４】
前記第１のストッパ４５は、一対の挟持部材３１，３１の後端部に位置し、第２のストッパ４６は、第１のストッパ４５から所定距離だけ前方側に離れた位置に配置されている。
【００４５】
そして、販売待機状態（ソレノイド４０の非励磁状態）では、第１のストッパ４５が一対の挟持部材３１，３１により形成された間隙ｔに臨んで位置しており、第２のストッパ４６が前記間隙ｔから左右方向にずれた位置に退避しており、ソレノイド４０が励磁された販売時には、第１のストッパ４５が前記間隙ｔから退避し、第２のストッパ４６が前記間隙ｔに臨むように移動するものである。
【００４６】
なお、符号４７はマイクロスイッチからなる商品検知スイッチ（売切れスイッチ）であり、マイクロスイッチの操作レバー４７１（図４参照）が一対の挟持部材３１，３１により形成される間隙ｔに臨むように配設されている。
【００４７】
また、符号４０１は、ソレノイド４０に接続された信号線であり、符号４７２は、商品検知スイッチ４７に接続された信号線であり、これらの信号線４０１，４７２は、配線接続用カプラＣＰ１０（図４の（ａ）参照、図５では商品搬出機構３４に隠れて見えない左側の取付金具３５の背面に取付けられている）に接続されている。
【００４８】
前述したように構成された商品支持ユニット３０の商品収納ラック２０への装着を、図３を参照しつつ以下に説明する。
【００４９】
なお、図３では商品支持ユニット３０を４段に架設した場合を例示しており、図の（ａ）には下方から３段目までの商品支持ユニット３０を装着し、最上段の商品支持ユニット３０を装着する前の状態（もしくは取り外した状態）を示し、この最上段の位置の空き領域に商品支持ユニット３０を装着する場合を代表として説明することとする。
【００５０】
まず、商品収納ラック２０を構成する前方の縦フレーム材２３，２３の間から商品支持ユニット３０を挿入する。この場合、左右の取付金具３５，３５が直線上に並ぶように商品支持ユニット３０を横倒しした状態で挿入する。これは前記左右の取付金具３５，３５が水平線上に位置する姿勢で商品支持ユニット３０を縦フレーム材２３，２３の間に挿入すると前記取付金具３５，３５が左右の縦フレーム材２３，２３に当接することから、これを避けるためである。
【００５１】
そして、商品支持ユニット３０の取付金具３５，３５が前方の縦フレーム材２３，２３の間を通過した段階で商品支持ユニット３０を元の姿勢に戻しつつ商品支持ユニット３０を後方に移動させる。
【００５２】
次いで、商品支持ユニット３０の取付金具３５，３５に螺合された段付ねじ３５１，３５１を、商品収納ラック２０を構成する後方の縦フレーム材２３，２３に形成したそれぞれの切欠２３１に対峙させて後方に移動させることにより両者を係合させる。
【００５３】
この場合、商品支持ユニット３０の左側の取付金具３５に取付けられた配線接続用カプラＣＰ１０（図４の（ａ）参照）が、後方側における左側の縦フレーム材２３の切欠２３１の近傍位置に固着された配線接続用カプラＣＰ１１と結合する。
【００５４】
この状態で商品支持ユニット３０の前方側の連結部材３２に形成されたＴ字形の取付片３２１を梁部材２４に係合させてねじ止めする。
【００５５】
このようにして商品収納ラック２０に装着された商品支持ユニット３０は前方側（商品投入側）が高く、後方側（商品搬出機構３４側）が低くなるように傾斜した状態となり、ベンド配線６０と商品支持ユニット３０の商品搬出機構３４が配線接続用カプラＣＰ１０を介して接続される。一方、商品支持ユニット３０のメンテナンス作業の際には前述した手順と逆の手順により商品収納ラック２０から商品支持ユニット３０を取外すことができ、商品支持ユニット３０を手前に引出すことにより配線接続用カプラＣＰ１０の結合が自動的に解除される。
【００５６】
前述したベンド配線６０は、図３における商品収納ラック２０を構築する後方側の左右一対の縦フレーム材２３のうち左側の縦フレーム材２３の外面に沿って引き回され、各段の商品支持ユニット３０のそれぞれの商品搬出機構３４と前述した配線接続用カプラＣＰ１０，ＣＰ１１を介して接続されている。
【００５７】
ここで、ベンド配線６０について図６を用いて説明すると、図において、符号６０で再びベンド配線を示し、符号ＣＰ１１で最上段の商品支持ユニット３０の商品搬出機構３４の配線接続用カプラを示し、符号ＣＰ２１は、下から３段目の商品支持ユニット３０の商品搬出機構３４の配線接続用カプラを示し、符号ＣＰ３１は、下から２段目の商品支持ユニット３０の商品搬出機構３４の配線接続用カプラを示し、符号ＣＰ４１は、下段の商品支持ユニット３０の商品搬出機構３４の配線接続用カプラを示す。
【００５８】
また、ＣＰ０は各配線接続用カプラＣＰ１１〜ＣＰ４１に共通に接続された配線接続用カプラである。この共通の配線接続用カプラＣＰ０には不図示の電装ボックスに接続された信号線のカプラと結合される。図におけるＰ０〜Ｐ９は共通の配線接続用カプラＣＰ０の端子を示しており、配線接続用カプラＣＰ１１〜ＣＰ４１の端子Ｐ１，Ｐ２は、ソレノイド４０への信号端子（電源端子）、端子Ｐ３，Ｐ４は、商品検知スイッチ４７への信号端子（電源端子）であり、各段のソレノイド４０への信号端子Ｐ２は、アースとして共通に接続され、同様に商品検知スイッチ４７への信号端子Ｐ４も共通に接続されている。
【００５９】
一方、配線接続用カプラＣＰ０の端子Ｐ０〜Ｐ３は、各段のソレノイド４０への信号端子、端子Ｐ４〜Ｐ７は、各段の商品検知スイッチ４７への信号端子であり、端子Ｐ８およびＰ９は各段のソレノイド４０および商品検知スイッチ４７への共通信号端子である。
【００６０】
このように各段のソレノイド４０および商品検知スイッチ４７に対して共通の配線接続用カプラＣＰ０を用いることにより、ベンド配線６０の本数を削減できる。
【００６１】
すなわち、各段のソレノイド４０および商品検知スイッチ４７に対して個別に信号線を配線した場合、この例では各段のソレノイド４０および商品検知スイッチ４７にそれぞれ２本ずつの配線が必要であることから４段で１６本の信号線が必要である一方、共通の配線接続用カプラＣＰ０を用いた場合には各段のソレノイド４０および商品検知スイッチ４７のアース線を共通にすることにより信号線を１０本とすることができることから６本の信号線を削減することができる。また、共通の配線接続用カプラＣＰ０を用いることにより各段のソレノイド４０および商品検知スイッチ４７を一括して電装ボックスに接続することが可能となる。
【００６２】
ここで、商品収納ラック２０を構築する上部支持フレーム材２１，２１および下部支持フレーム材２２，２２に取付けられた背板２５および左右の側面板２６，２６により閉塞された空間は商品が落下する商品搬出通路として形成されているとともに庫内空気の循環通路を構成している。
【００６３】
このため、図２に示した前記蒸発器６、庫内ファン７からなる冷却ユニットもしくは前記蒸発器６、庫内ファン７、商品加熱用のヒーター８からなる加熱ユニットからの送風Ａ（白抜き鎖線で示す）は、縦フレーム材２３，２３に上下複数段架設されたそれぞれの商品支持ユニット３０内を通過した後、矢印Ｂのように背板２５に形成した通風孔２５ａ（図３参照）を介して庫内背面に配設した循環用ダクト９の上端９ａの開口（矢印Ｃ）に導かれて冷却ユニットもしくは加熱ユニットに戻り、上下複数段の商品支持ユニット３０に吊下げ支持された商品（パウチ商品）を均等に冷却もしくは加熱する。
【００６４】
この場合、送出部材２７の前端部とシュータ２との間に組立誤差などによって隙間が形成されたとしてもクッション（遮蔽部材）２８により当該隙間が塞がれていることから前記送風Ａが前記隙間を介して循環用ダクト９の上端９ａの開口に導かれる、すなわち、短絡通路が形成されることがないので、冷却もしくは加熱性能を良好に維持できる。
【００６５】
なお、図２に破線で示したように商品収納ラック２０の背後にクッション（遮蔽部材）２８Ａを設けることもできる。このクッション２８Ａは背板２５の背面に貼着されてなり、庫内の左右幅に一致する幅を有するものであり、商品収納ラック２０と庫内の左右壁との間に隙間がある場合にも送風Ａが当該隙間を介して循環用ダクト９の上端９ａの開口に導かれるような短絡通路が形成されるのを防止し、冷気もしくは暖気が漏れなく鎖線で示す矢印Ａ、矢印Ｂ及び矢印Ｃの経路を通って循環するようにすることができる。
【００６６】
さて、前述したように商品収納ラック２０に装着された商品支持ユニット３０は、前方側（商品補充側）が高く、後方側（商品搬出機構３４側）が低くなるように傾斜した状態に配設されることから、最上段の商品支持ユニット３０の上部側（商品収納ラック２０の上部）の後方寄りには空き空間が形成され、この空き空間には余剰の商品支持ユニット３０Ａが収納保管されている。すなわち、商品収納ラック２０の上部後方寄りには空き空間が形成されることから、この空き空間を余剰の商品支持ユニット３０Ａを保管場所として利用しているのである。
【００６７】
ここで、余剰の商品支持ユニット３０Ａとは図３の（ａ）および図３の（ｂ）では、４段の商品支持ユニット３０が架設された状態を示しているが、最上段の商品支持ユニット３０を残したまま、下方３段の商品支持ユニット３０を前記装着手順と逆の手順により取り外したうえで図では空き状態の切欠２３１の箇所にそれぞれ商品支持ユニット３０を装着すると商品収納ラック２０には５段の商品支持ユニット３０が架設されることとなる。
【００６８】
このように、商品支持ユニット３０を、商品収納ラック２０を構築する縦フレーム材２３に着脱自在としてその段数を５段から４段に変更した場合に不使用の商品支持ユニット３０が生まれ、この不使用の商品支持ユニット３０が余剰の商品支持ユニット３０Ａとなる。
【００６９】
前述した余剰の商品支持ユニット３０Ａを収納保管するため、図３の（ｃ）に示すように、商品収納ラック２０を構成する後方側の縦フレーム材２３，２３の上端寄りには梁部材２４Ａが設けられ、また、左右の側面板２６，２６には切欠溝２６１が形成されている（図では左側の切欠溝２６１は商品支持ユニット３０Ａに隠れて見えない）。
【００７０】
そして、商品支持ユニット３０Ａは取付金具３５，３５（図４参照）に螺合された段付ねじ３５１，３５１を前記左右の側面板２６，２６の切欠溝２６１に係合させる一方、商品支持ユニット３０Ａの前方側の連結部材３２（図４参照）に形成されたＴ字形の取付片３２１を梁部材２４Ａに係合させてねじ止めして収容保管される。
【００７１】
なお、商品支持ユニット３０を４段から５段に変更した場合、前方の縦フレーム材２３，２３に取付けた梁部材２４の取付け位置を変更するとともに残りの１個の梁部材２４として商品収納ラック２０に収納保管された余剰の商品支持ユニット３０Ａを取付けるための梁部材２４Ａを利用すればよい。このため、梁部材２４Ａは前方の縦フレーム材２３，２３にねじにより固着された梁部材２４と同様に後方側の縦フレーム材２３，２３にねじにより固着して着脱自在としているが、商品支持ユニット３０を架設するために後方側の縦フレーム材２３，２３に形成した切欠２３１と同様な切欠を形成するとともに梁部材２４Ａに段付ねじを螺着して両者を係合させるように構成してもよい。
【００７２】
また、商品収納ラック２０に上下方向に複数段架設される商品支持ユニット３０の段数を何段（この例では４段もしくは５段）にするかは販売するパウチ商品の長さ（高さ寸法）に依存する。商品支持ユニット３０にパウチ商品を吊下げ収容する補充（装填）方法については後述するが、４段の商品支持ユニット３０にパウチ商品を吊下げ収容した状態を図２に例示している。
【００７３】
この場合、商品支持ユニット３０には、吊下げ収容されたパウチ商品が上下に隣接する下方の商品支持ユニット３０の商品搬出機構３４（図４参照）に当接しない長さ（高さ寸法）のロングサイズのパウチ商品（図２の下方２段の商品支持ユニットに例示）および比較的長さの短いショートサイズのパウチ商品（同図の上方２段の商品支持ユニットに例示）の両方を吊下げ収容することが可能である。
【００７４】
ここで、ロングサイズのパウチ商品のみを販売対象商品とする場合には商品支持ユニット３０の段数はロングサイズのパウチ商品の長さに依存して４段となる。一方、ショートサイズのパウチ商品を販売対象商品とする場合に商品支持ユニット３０の段数が４段のままであると上下に隣接する下方の商品支持ユニット３０とパウチ商品の下端との間に無駄な空間が発生する。
【００７５】
そこで、この発明においては商品収納ラック２０を構築する縦フレーム材２３に対して商品支持ユニット３０を着脱してその段数を４段から５段に変更し、この５段の商品支持ユニット３０にショートサイズのパウチ商品を吊下げ収容するように構成している。これにより商品収納ラック２０に収容可能なショートサイズのパウチ商品の数量を大幅に増加できるものである。
【００７６】
当然のことながら逆の場合、つまり、ショートサイズのパウチ商品に適した５段の商品支持ユニット３０から４段に変更して販売対象商品をロングサイズのパウチ商品とすることもでき、自動販売機の設置後においてもその設置場所においてサイズの異なるパウチ商品への入れ替えを行うことが可能となる。
【００７７】
前記商品支持ユニット３０に装填されるパウチ商品を図７に示す。図７の（ａ）に示すように、パウチ商品１００は、可撓性袋状容器１０２に硬質の合成樹脂からなる注出口部としてのスパウト１０４を固着し、当該スパウト１０４にキャップ１０６を装着してなる。
【００７８】
前記スパウト１０４には、フランジ１０５が形成されており、図７の（ａ）の例ではフランジ１０５が１個のパウチ商品１００、図７の（ｂ）の例ではフランジ１０５が２個のパウチ商品２００を示している。
【００７９】
前記可撓性袋状容器１０２内にはスパウト１０４からゼリー状の飲食物が注入されており、可撓性袋状容器１０２が軟弱であることから起立させることが困難なものである。なお、符号１０７は、スパウト１０４に設けられた接合フランジを示している。
【００８０】
上記のとおり容器形態が軟弱なパウチ商品は起立させることが困難なものであることから、本発明においては前述した商品支持ユニット３０に吊下げ支持するようにしたものであり、次に前記商品支持ユニット３０へのパウチ商品の装填（補充）について図８を用いて説明する。
【００８１】
図８では、パウチ商品１００を装填する場合を示し、前記商品支持ユニット３０の前方から白抜き矢印で表すようにパウチ商品１００を装填する。すなわち、前記商品支持ユニット３０の左右一対の挟持部材３１，３１の間に形成された間隙ｔにスパウト１０４を挿入し、当該スパウト１０４に形成されたフランジ１０５を左右一対の挟持部材３１，３１に引っ掛ける。ここで、前記左右一対の挟持部材３１，３１の間に形成された間隙ｔはパウチ商品１００のスパウト１０４の幅より大きくフランジ１０５の長さよりも短い所定の寸法に定められている。前記商品支持ユニット３０の左右一対の挟持部材３１，３１にフランジ１０５を引っ掛けて吊下げられたパウチ商品１００はフランジ１０５が左右一対の挟持部材３１，３１上を滑動して自重により後方に移動する。つまり、一対の挟持部材３１，３１は、相互間に商品収容通路を構成している。
【００８２】
前記商品支持ユニット３０の後方に移動したパウチ商品１００は商品搬出機構３４の第１のストッパ４５（図４および図５参照）により係止され、当該位置に停止した状態で吊下げ支持される。
【００８３】
次に装填されたパウチ商品１００は、第１のストッパ４５により係止された商品に当接して停止する。このようにして前記商品支持ユニット３０にパウチ商品１００を補充して収容した状態を図９に示し、パウチ商品１００は重力により略鉛直線に沿った姿勢で商品支持ユニット３０に吊下げ支持される。
【００８４】
ここで、パウチ商品１００は、前記商品支持ユニット３０の左右一対の挟持部材３１，３１における間隙ｔにスパウト１０４を挿入してフランジ１０５を引っ掛けて収容されるのであるが、パウチ商品１００には、図７に示したように、フランジ１０５以外にもキャップ１０６の下部が引っ掛け部として存在する。このため、パウチ商品１００を商品支持ユニット３０に装填する際、キャップ１０６（の下端）を前記商品支持ユニット３０の左右一対の挟持部材３１，３１に引っ掛けるように誤装填されるおそれがある。このような誤装填があるとキャップ１０６の下端が左右一対の挟持部材３１，３１の間隙ｔの間に嵌り込んで商品詰まりを生じたり、最悪の場合には脱落してしまうことがある。
【００８５】
この問題の解決策として、フランジ１０５と接合フランジ１０７との間の厚み寸法ｔａに対してキャップ１０６とフランジ１０５の間の厚み寸法ｔｂは小さく形成（ｔａ＞ｔｂ）されていることを利用し、左右一対の挟持部材３１，３１を構成する鋼板の厚さを厚くしてキャップ１０６の下端を引っ掛けることができないようにすることが考えられる。
【００８６】
しかしながら、左右一対の挟持部材３１，３１に厚板鋼板を利用すると重量が増加するとともにコストが上昇する。
【００８７】
そこで、本発明の実施の形態では、薄板鋼板を用いたとしても誤装填を防止することを可能とするため、間隙ｔをおいて対向配置された挟持部材３１，３１の脚端部を折り曲げてダブルホールドして厚み規制部材３６としている。このように薄板鋼板をダブルホールドすることによってフランジ１０５の下部を引っ掛けることを許容し、キャップ１０６の下部を引っ掛けることが困難となるので、引っ掛け部分を間違って装填するような誤装填が防止される。
【００８８】
なお、図７の（ｂ）に示したフランジ１０５が２個のパウチ商品２００においても、下側のフランジ１０５を引っ掛けて装填せねばならないところ、上側のフランジ１０５が引っ掛け部として存在していることから上側のフランジ１０５を引っ掛けるような誤装填のおそれがあるが、下部のフランジ１０５と接合フランジ１０７との間の寸法ｔｃに対して２個のフランジ１０５の間の寸法ｔｄが小さく形成（ｔｃ＞ｔｄ）されていることから、左右一対の挟持部材３１，３１の脚端部を折り曲げてダブルホールドすることにより誤装填を防止することができる。
【００８９】
また、パウチ商品１００はフランジ１０５を商品支持ユニット３０の左右一対の挟持部材３１の上に乗せ自重により滑らせるように構成されていることから、前記フランジ１０５と前記商品支持ユニット３０の左右一対の挟持部材３１，３１の脚端部との摩擦抵抗が小さいことが望まれる。
【００９０】
この要求に対しても間隙ｔをおいて対向配置された左右一対の挟持部材３１，３１の脚端部を折り曲げてダブルホールドした本発明に係る実施の形態の商品収納ラック２０は有利である。
【００９１】
すなわち、一般的に用いられる鋼板は切削加工を容易にするために一方の面に潤滑性の塗膜がコーティングされた塗膜鋼板であるから、この塗膜鋼板の一方の面（潤滑性の塗膜がコーティングされた面）が外側となるようにダブルホールド（図４等に参照符合３６を付した部分）することによって、間隙ｔを形成する左右一対の挟持部材３１，３１の脚端部の上下両面が潤滑性の良好な面（摩擦抵抗が小さい面）となる。
【００９２】
このため、パウチ商品１００のフランジ１０５と左右一対の挟持部材３１，３１の脚端部との摩擦抵抗を小さくすることができる。
【００９３】
更に、商品支持ユニット３０の傾斜角度を大きくすることによりパウチ商品１００の自重による滑りが良くなる一方、前記商品支持ユニット３０の傾斜角度を大きくするとパウチ商品１００自体は重力によって略鉛直線に沿った姿勢を維持し続けるので、図１０に示すように、左右一対の挟持部材３１，３１の脚端部の上下両面にパウチ商品１００のフランジ１０５と接合フランジ１０７が同時に当接するようになる。この場合、左右一対の挟持部材３１，３１の脚端部をダブルホールドしていない場合にはパウチ商品１００のフランジ１０５または接合フランジ１０７のいずれか一方と挟持部材３１，３１との脚端部との摩擦抵抗が大きくなるのであるが、塗膜鋼板の一方の面（潤滑性の塗膜がコーティングされた面）が外側となるようにダブルホールドした本発明の実施の形態の挟持部材３１，３１においては当該挟持部材３１，３１の脚端部の上下両面にパウチ商品１００のフランジ１０５と接合フランジ１０７が同時に当接したとしても両者の摩擦抵抗を小さくすることができる。
【００９４】
したがって、パウチ商品１００の自重による滑りをよくするために前記商品支持ユニット３０の傾斜角度を大きくすることができ、商品支持ユニット３０へのパウチ商品の収容をスムーズに行うことができる。
【００９５】
なお、挟持部材３１，３１を構成する塗膜鋼板としてダブルホールドするために薄板であることが望ましく、薄板の塗膜鋼板を用いた場合には重量の軽減化に寄与するものである。
【００９６】
更に、図７に示したようなパウチ商品においては中身飲食物が異なるもの、あるいは可撓性袋状容器１０２に充填された飲食物の内容量の相違によってフランジ１０５の幅寸法Ｌ１、Ｌ２（例えば、Ｌ１＜Ｌ２）が異なっている。特に、可撓性袋状容器１０２に充填された飲食物が同一で内容量の異なるパウチ商品においては外形が類似していることから誤って装填されるおそれがある。
【００９７】
そこで、本発明の実施の形態では図８に示したように、左右一対の挟持部材３１，３１の脚端部に近接して植設された一対の幅規制部材３７を設けている。この一対の幅規制部材３７の間の幅寸法Ｌ０はパウチ商品のフランジ１０５の幅寸法Ｌ１、Ｌ２（図７参照）に対してＬ１＜Ｌ０＜Ｌ２（但し、Ｌ１＜Ｌ２である場合）と定められている。
【００９８】
したがって、フランジ１０５の寸法がＬ０以下のパウチ商品については左右一対の挟持部材３１，３１の間に挿入して装填することを許容し、フランジ１０５の寸法がＬ０以上のパウチ商品については幅規制部材３７により装填が阻止され、これにより種類の異なるパウチ商品の誤装填が防止される。
【００９９】
なお、図８では幅規制部材３７として専用の部材を植設したものについて説明したが、左右一対の挟持部材３１，３１と、この挟持部材３１，３１を連結する連結部材３２とを固着するねじを利用することもでき、この場合には部品点数を削減することができる。
【０１００】
次に、本発明の実施の形態である商品収納ラック２０が適用された自動販売機における商品収納室１２，１３，１４の冷却・加熱動作について図２を用いて説明する。
【０１０１】
まず、商品収納室１３，１４（ホット／コールド兼用室）をコールド室として使用する場合には、ヒーター８をオフし、圧縮機３、凝縮器４で圧縮、凝縮された冷媒を蒸発器６に送り、蒸発器６で熱交換した冷気を庫内ファン７でシュータ２の下側から庫内に吹き出して商品収納ラック２０、１４１内の商品を冷却して循環用ダクト９を介して蒸発器６に戻すような冷気循環を行う。
【０１０２】
一方、商品収納室１３，１４をホット室として使用する場合は前記蒸発器６への冷媒を停止させてヒーター８をオンにし、上記と同様に暖気の循環を行って商品を加熱する。前記商品収納室１３，１４のホット／コールド室への切り替えは季節の変わり目などに行われる。
【０１０３】
なお、コールド専用室である商品収納室１２は常時、蒸発器６で熱交換した冷気を庫内ファン７でシュータ２の下側から庫内に吹き出して商品収納ラック１２１内の商品を冷却して循環用ダクト９を介して蒸発器６に戻すような冷気循環が行われている。
【０１０４】
なお、商品収納ラック２０が収納された商品収納室１３をホット／コールド兼用室としているが、これはパウチ商品としてホット商品として販売する商品が出現した場合に備えたものである。
【０１０５】
次に、本発明の実施の形態である商品収納ラック２０が適用された自動販売機における販売時に動作について説明する。
【０１０６】
図１１は、商品搬出機構３４の動作時における第１のストッパ４５、第２のストッパ４６の動作を示すものであり、商品搬出機構３４の全体構成を示す図５をも参照しながら販売動作について説明する。
【０１０７】
販売待機状態においてはソレノイド４０が非励磁状態にあり、第１のストッパ４５が左右一対の挟持部材３１，３１の間の間隙ｔの位置に突出して販売順位一番の商品（以下、販売商品ともいう）を係止しており、販売商品と販売順位二番の商品（以下、次販売商品ともいう）との間に位置する第２のストッパ４６が第１のストッパ４５が左右一対の挟持部材３１，３１の間の間隙ｔの位置から退避している。
【０１０８】
この状態においてマイクロスイッチからなる商品検知スイッチ（売切れスイッチ）４７の操作レバー４７１が販売商品に当接して商品検知信号を出力している。
【０１０９】
いま、外扉１０（図１参照）に設けられた商品選択ボタンが操作されると不図示の制御部から対応する商品搬出機構３４（ソレノイド４０）に所定時間幅の励磁信号が供給される。
【０１１０】
前記ソレノイド４０が励磁されると図５に示したプランジャー４１を介してストッパ部材４２が左右方向（図５では右方向）に移動する。これにより第１のストッパ４５および第２のストッパ４６が図１１において左方向に移動し、第１のストッパ４５が間隙ｔから退避し、第２のストッパ４６が間隙ｔに突出する。
【０１１１】
前記第１のストッパ４５の間隙ｔからの退避により販売商品は第１のストッパ４５による係止が解かれる。これと同時に第２のストッパ４６が間隙ｔに突出するように移動する過程において当該第２のストッパ４６に設けた係止部材４６１の押圧片４６２が販売商品を押圧して販売商品を商品支持ユニット３０から排出させた後、第２のストッパ４６が間隙ｔに突出する。
【０１１２】
販売商品が搬出されると次販売商品以降の商品は支えを失うので順次商品支持ユニット３０の後端部に向かって滑動して間隙ｔに突出した第２のストッパ４６に係止されて一旦保持される。
【０１１３】
前記ソレノイド４０への励磁信号が遮断されるとプランジャー４１が復帰ばね４４により元の位置（図５の状態）に復帰して第１のストッパ４５が間隙ｔの位置に突出し、第２のストッパ４６が間隙ｔから退避する。
【０１１４】
前記第２のストッパ４６が間隙ｔから退避すると第２のストッパ４６に保持されていた次販売商品以降の商品は商品支持ユニット３０の搬出端部に向かって滑動し、間隙ｔに突出した第１のストッパ４５に係止されて販売待機状態となる。
【０１１５】
なお、前記商品搬出機構３４により搬出されて商品支持ユニット３０の後端部から落下する商品は図２に示す商品収納ラック２０の送出部材２７を介してシュータ２に送出される。
【０１１６】
さて、図１には本発明に係る商品収納ラック２０をサーペンタイン式の商品収納ラック１２１，１４１と並設した自動販売機を示している。これは、自動販売機で多種多様の商品（缶入り飲料などに代表される容器が硬質である商品やパウチ商品で代表される容器が比較的軟弱である商品）を販売可能としたものであるが、多種多様の商品を販売可能とするにあたり既設の自動販売機に対して構成を大幅に変更したのでは既設の自動販売機を新規の自動販売機と置き換えねばならない。
【０１１７】
そこで、本発明の実施の形態においてはパウチ商品を収容可能な商品収納ラック２０をサーペンタイン式の商品収納ラックと互換性を持たせて（サーペンタイン式の商品収納ラックを搭載した）既設の自動販売機にも本発明に係る商品収納ラック２０を搭載可能としたものである。以下、公知のサーペンタイン式の商品収納ラックと互換性を持たせるようにした商品収納ラック２０について説明する。
【０１１８】
図１２は公知のサーペンタイン式の商品収納ラックと互換性を持たせるようにした商品収納ラック２０を示す。公知のサーペンタイン式の商品収納ラックを自動販売機の商品収納庫に配設する方法として次の二種類の方式があり、まずはその方式について説明する。
【０１１９】
先ず、第１の方式は図１２の（ａ）に示すように自動販売機の天井面に前後方向に延在する本体側フック金具５０が敷設され、この本体側フック金具５０に商品収納ラック１２１，１４１を引っ掛ける引っ掛け方式であり、第２の方式は図１２の（ｂ）に示すように自動販売機の天井面に左右方向に延在する本体側フック金具５５が敷設され、この本体側フック金具５５に商品収納ラック１２１，１４１を固着する固着方式である。前記引っ掛け方式は例えば特開２００５−１２２５９６号公報にも記載されているとおり、商品収納ラック１２１，１４１を構成する左右一対のラック側板の上端に前記本体側フック金具５０のフック５０１に係合するラック側フックを設け、当該ラック側フックを前記本体側フック金具５０のフック５０１に係合させたものであり、この引っ掛け方式では本体側フック金具５０をガイドとして商品収納ラック１２１，１４１をスライドさせることにより庫内に格納、または庫内から引出すことができる。
【０１２０】
一方、固着方式は例えば特開平９−２８８７６８号公報にも記載されているとおり、商品収納ラック１２１，１４１を構成する左右一対のラック側板にラック側フック金具を架設し、このラック側フック金具を前記本体側フック金具５５のフック５５１に係合させて両者をねじ止めしたものである。
【０１２１】
前述したとおり公知のサーペンタイン式の商品収納ラック１２１，１４１は、図１２に示した本体側フック金具５０，５５を用いて商品収納庫内に配設されている。そこで発明者等は、前記本体側フック金具５０，５５に本発明に係る商品収納ラック２０を装着可能とすればサーペンタイン式の商品収納ラック１２１，１４１との互換性を持たせることを突き止め、商品収納ラック２０を前記本体側フック金具５０，５５に装着するアダプター部材の開発に至った。
【０１２２】
さて、図１２には商品収納ラック２０を前記本体側フック金具５０，５５に装着するアダプター部材を示している。なお、図１２に示した商品収納ラック２０は図３にて説明したように組み立てられたものであるので、ここでは重複する説明は省略する。
【０１２３】
図１２の（ａ）は、前述した引っ掛け方式に採用されたアダプター部材５１を示しており、アダプター部材５１は左右一対のラック固定金具５２、およびラック側フック金具５３からなる。前記左右一対のラック固定金具５２は断面Ｚ字状に形成された厚板鋼板からなり、その一端が商品収納ラック２０を構成する左右一対の上部支持フレーム材２１，２１にねじにより固着されるとともに他端がラック側フック金具５３に固着されている。
【０１２４】
前記ラック側フック金具５３は厚板鋼板により下面が開放した箱形に形成されるとともに左右両端に本体側フック金具５０のフック５０１に係合するラック側フック５４が形成されてなる。
【０１２５】
前記商品収納ラック２０には予め二組のアダプター部材５１が上部支持フレーム材２１，２１に固着されてなる。前記商品収納ラック２０を商品収納庫内に配設する際、まず、後方側のアダプター部材５１におけるラック側フック金具５３のラック側フック５４を本体側フック金具５０のフック５０１に対峙させて両者が係合するように押し込んでスライドさせ、同様に前方側にアダプター部材５１のラック側フック金具５３のラック側フック５４を本体側フック金具５０のフック５０１に係合させてスライドさせて組み付ける。
【０１２６】
図１２の（ｂ）は、前述した固着方式に採用されたアダプター部材５６を示しており、アダプター部材５６はラック側フック金具５７からなる。ラック側フック金具５７は圧板鋼板の平板のからなり、その下端に商品収納ラック２０を構成する左右一対の上部支持フレーム材２１，２１の下面に潜り込んでねじ止めされる固定アーム５８、および上端に本体側フック金具５５のフック５５１に係合するラック側フック５９が形成されている。
【０１２７】
前記商品収納ラック２０には予め二組のアダプター部材５６が上部支持フレーム材２１，２１に固着されてなる。前記商品収納ラック２０を商品収納庫内に配設する際、それぞれのアダプター部材５６におけるラック側フック５９を本体側フック金具５５のフック５５１に対峙させて両者を係合させる。
【０１２８】
次いで、アダプター部材５６と本体側フック金具５５をねじ止めして組み付ける。図１２に示したようにアダプター部材５１、５６を設けたことによりパウチ商品を収容する商品収納ラック２０を公知のサーペンタイン式の商品収納ラック１２１，１４１に対して互換性を持たせることができ、既設の自動販売機のサーペンタイン式の商品収納ラックと交換することができる。
【０１２９】
なお、本発明の実施の形態においては、前述したように本発明に係る商品収納ラック２０をサーペンタイン式の商品収納ラックと構造上の互換性を持たせ、既設の自動販売機のサーペンタイン式の商品収納ラックと交換することができるうえに電気的にも互換性を持たせている。
【０１３０】
これは、サーペンタイン式の商品収納ラックの商品搬出機構においては販売商品を係止する下ストッパと次販売商品を係止する上ストッパとをソレノイドにより駆動することによって前記下ストッパおよび上ストッパを商品通路に交互に突出させることに鑑み、本発明に係る商品収納ラック２０においても商品搬出機構３４の駆動源としてソレノイド４０を用い、このソレノイド４０によりストッパ部材４２を駆動して販売商品を係止する第１のストッパ４５および次販売商品を係止する第２のストッパ４６が左右一対の挟持部材３１，３１の隙間ｔに交互に出没するように構成したものである。
【０１３１】
また、商品収納ラック２０に装填された商品を検出する商品検知スイッチ４７（図４および図５参照）を備えており、この商品検知スイッチ４７から商品の売切れ検知信号を出力するように構成されている。
【０１３２】
このような商品搬出機構３４および商品検知スイッチ４７を用いることにより、サーペンタイン式の商品収納ラックの商品搬出機構に供給される電源や制御信号により商品搬出機構３４が商品搬出動作を実行し、商品検知スイッチ４７が自動販売機の制御部に売切れ信号を送出する。
【０１３３】
つまり、サーペンタイン式の商品収納ラックを搭載した既設の自動販売機の制御プログラムを何ら変更することなく本発明に係る商品収納ラック２０をサーペンタイン式の商品収納ラックと交換して配線接続を行うことによって直ちに自動販売機を稼動させることができるものである。
【０１３４】
前述したとおり本発明によれば、飲み口部分に引っ掛け部（フランジ１０５）を有する商品（パウチ商品１００，２００）を販売する自動販売機の商品収納ラック２０であって、上下左右のフレーム材（上部支持フレーム材２１，２１と、下部支持フレーム材２２，２２と、前方および中央付近に設けたそれぞれ一対の縦フレーム材２３，２３）により商品収納ラック２０の枠体を構築し、左右のフレーム材（前方および中央付近に設けたそれぞれ一対の縦フレーム材２３，２３）に上下方向に複数段架設され、前記商品（パウチ商品１００，２００）の引っ掛け部（フランジ１０５）を支持し、かつ、前方側（商品投入側）に対して後方側が低くなるよう傾斜して前記商品をその自重により滑らせて吊下げ収容するとともに後端部に商品搬出機構３４を有する商品支持ユニット３０を設け、当該商品支持ユニット３０を商品収納ラック２０を構築するフレーム材に着脱自在に架設したことにより、容器形態が軟弱なパウチ商品を収納する商品収納ラック２０を簡単な構成とすることができ、コストの低減を図ることが可能である。また、商品支持ユニット３０を着脱自在とすることによってメンテナンスを容易に行うことができる。
【０１３５】
前述したとおり本発明の実施の形態の自動販売機の商品収納ラック２０によれば、飲み口部分に引っ掛け部（フランジ１０５）を有し、かつ、容器形態が軟弱な商品（パウチ商品１００，２００）を販売する自動販売機の商品収納ラック２０であって、上下左右のフレーム材（上部支持フレーム材２１，２１、下部支持フレーム材２２，２２、縦フレーム材２３，２３）により商品収納ラック２０の枠体を構築し、左右のフレーム材（縦フレーム材２３，２３）に上下方向に複数段架設され、所定の間隙ｔをおいて配置された左右一対の挟持部材３１，３１に前記商品の引っ掛け部（フランジ１０５）を引っ掛けて支持し、かつ、前方側（商品投入側）に対して後方側が低くなるよう傾斜して前記商品をその自重により滑らせて吊下げ収容するとともに後端部に商品搬出機構３４を有する商品支持ユニット３０を設け、前記挟持部材３１，３１の前記商品（パウチ商品１００，２００）の引っ掛け部（フランジ１０５）と接触する部分を滑り木状に形成してなる、具体的には前記挟持部材３１，３１を一方の面に潤滑性の塗膜が施された薄板の塗膜鋼板により形成するとともに所定の間隙をおいて対峙する前記挟持部材３１，３１の端部を、当該塗膜鋼板の他方の面同士が接するようにダブルホールドしたことにより、飲み口部分に引っ掛け部（フランジ１０５）を有し、かつ、容器形態が軟弱な商品を収容する商品収納ラック２０を簡単な構成とすることができ、また、商品を吊下げ支持する挟持部材３１，３１を薄板鋼板により形成することができるので、自動販売機の重量の軽減化を図ることが可能であり、更に、挟持部材３１，３１の上下面に商品が接した場合にも商品と挟持部材との間の摩擦抵抗が小さいことから商品をスムーズに滑動させることができるので、商品の自重による滑りを良好にするために挟持部材３１，３１の傾斜角を大きくすることが可能である。
【０１３６】
前述したとおり上記自動販売機によれば、自動販売機の天井面に予め複数の本体側フック金具５０，５５が敷設され、当該本体側フック金具５０，５５に取り付けられたサーペンタイン式の商品収納ラック１２１，１４１が左右方向に複数並設されてなる自動販売機であって、上下左右のフレーム材（上部支持フレーム材２１，２１、下部支持フレーム材２２，２２、縦フレーム材２３，２３）により商品収納ラック２０の枠体を構築し、左右のフレーム材（縦フレーム材２３，２３）に上下方向に複数段架設され、飲み口部分にフランジ１０５を有し、かつ、容器形態が軟弱な商品（パウチ商品１００，２００）におけるフランジ１０５を支持し、かつ、奥に向かうにしたがって下方に下がるよう傾斜して前記商品をその自重により滑らせて吊下げ収容するとともに後端部に商品搬出機構３４を有する商品支持ユニット３０を備え、当該商品支持ユニット３０を商品収納ラック２０を構築するフレーム材に着脱自在に架設してなるスラント式の商品収納ラック２０を設け、当該スラント式の商品収納ラック２０と前記本体側フック金具５０，５５とを連結するアダプター部材５１，５６を設け、左右方向に複数並設されたサーペンタイン式の商品収納ラック１２１，１４１の少なくとも一つに代えて容器形態が軟弱な商品を収容したスラント式の商品収納ラック２０を前記アダプター部材５１，５６を介して前記本体側フック金具５０，５５に取付けることによりサーペンタイン式の商品収納ラック１２１，１４１およびスラント式の商品収納ラック２０を並設してなることにより、容器形態が軟弱な商品を収容したスラント式の商品収納ラック２０に公知のサーペンタイン式の商品収納ラックとの互換性を持たせることができ、サーペンタイン式の商品収納ラックを搭載した自動販売機の構成を大幅に変更することなく公知のサーペンタイン式の商品収納ラックに代えて容器形態が軟弱な商品を収容したスラント式の商品収納ラック２０を搭載することが可能となる。
【０１３７】
また、既設のサーペンタイン式の商品収納ラックを搭載した自動販売機に対しても容器形態が軟弱な商品を収容したスラント式の商品収納ラック２０をサーペンタイン式の商品収納ラックと交換することにより容器形態が軟弱な商品を販売することができるものである。
【０１３８】
前述したように商品搬出機構３４により搬出されたパウチ商品１００は商品支持ユニット３０の後端部から図３に示した背板２５と側面板２６とにより囲まれた垂直方向に延在する商品搬出通路を落下した後、図２に示す商品収納ラック２０の送出部材２７を介してシュータ２に送出される。
【０１３９】
ここで、商品搬出機構３４により搬出されたパウチ商品１００の落下姿勢について図１３を用いて説明すると、今図における最上段の商品支持ユニット３０の商品搬出機構３４からパウチ商品１００が搬出されたとすると、当該パウチ商品１００は白抜き矢印のように起立姿勢のまま下方に落下する。
【０１４０】
上下方向に複数段架設された商品支持ユニット３０の前後方向の長さは同一であるので、前記パウチ商品１００の落下経路の途上に下段の商品支持ユニット３０の商品搬出機構３４が存在することとなる。
【０１４１】
したがって、前記商品はその落下途中において下段の商品支持ユニット３０の商品搬出機構３４に当接する。この場合、本発明に係る商品搬出機構３４を覆う傾斜面３４２Ａ付きのカバー３４２を備えていない場合には落下するパウチ商品１００が商品搬出機構３４に当接して落下が妨げられるので、当該パウチ商品１００は落下姿勢を崩して横倒しの姿勢となる。このようにパウチ商品が横倒し姿勢となると商品搬出通路を構成する背板２５（図３参照）と商品搬出機構３４もしくは商品支持ユニット３０に吊下げ収容された販売商品との間にパウチ商品１００が引っかかって商品詰りを生じるおそれがある。
【０１４２】
かかる点、本発明においては傾斜面３４２Ａ付きのカバー３４２を備えていることから、落下するパウチ商品１００はカバー３４２の傾斜面３４２Ａに当接すると、カバー３４２の傾斜面３４２Ａの傾斜に沿って商品支持ユニット３０から離れるように商品搬出通路に放出される。このように商品支持ユニット３０から離れるように放出された商品は略起立姿勢を維持したまま商品搬出通路を落下して送出部材２７に導かれ、上段側の商品支持ユニット３０の商品搬出機構３４から搬出されたパウチ商品１００を略起立姿勢に維持して安定して搬出することができる。
【０１４３】
前述したとおり本発明によれば、飲み口部分にフランジ１０５（引っ掛け部）を有し、かつ、容器形態が軟弱なパウチ商品１００，２００を販売する自動販売機の商品収納ラック２０であって、上部支持フレーム材２１，２１、下部支持フレーム材２２，２２、縦フレーム材２３，２３（上下左右のフレーム材）により商品収納ラック２０の枠体を構築し、縦フレーム材２３，２３（左右のフレーム材）に上下方向に複数段架設され、所定の間隙ｔをおいて配置された左右一対の挟持部材３１，３１に前記商品のフランジ１０５を引っ掛けて支持し、かつ、前方側（商品補充側）に対して後方側が低くなるよう傾斜して前記商品をその自重により滑らせて吊下げ収容するとともに後端部に商品搬出機構３４を有する商品支持ユニット３０を設けてなるスラント式の商品収納ラック２０を備えてなる自動販売機において、前記商品支持ユニット３０の商品搬出機構３４から搬出されたパウチ商品１００，２００を略起立姿勢に維持して落下させるガイド手段（商品搬出機構３４の傾斜面３４２Ａ付きカバー３４２）を設けたことにより、上段側の商品搬出機構３４から搬出されたパウチ商品１００，２００が下段側の商品搬出機構３４もしくは商品支持ユニット３０吊下げ収容された販売商品に当接して姿勢を崩すことなく略起立姿勢を維持した状態で落下させることができ、当該パウチ商品１００，２００が落下途中で姿勢を崩して商品詰りを惹き起こすことを防止して安定かつ確実に商品を搬出することが可能である。
【０１４４】
また、前述した実施の形態においてはガイド手段とし商品搬出機構３４のカバー３４２を利用し、前記カバー３４２をガイド手段と兼用したものについて説明したが、傾斜面３４２Ａを備えた部材を追加してガイド手段とすることもできるものであり、実施の形態に限定されるものでない。
【０１４５】
次に、自動販売機のベンド配線を図１４の（ｂ）を用いて説明する。図はサーペンタイン式の商品収納ラック１４１の部分の右側面であるが、サーペンタイン式の商品収納ラックは良く知られているので仮想線（二点鎖線）で示し、また、冷却／加熱ユニットについては、ベンド配線を理解し易くするために省略している。
【０１４６】
この実施の形態におけるサーペンタイン式の商品収納ラック１４１は２コラムずつ前後に分割されたラックを連結して６重のコラムを有しており、それぞれのラックの前後２コラム（商品収容通路）の下部にはそれぞれの商品搬出機構１４３，１４３が背中合わせに配設されてなる。前記商品搬出機構１４３，１４３は最下位商品（販売商品）を係止する不図示の下ストッパと下から２番目の商品（次販商品）を係止する上ストッパとをソレノイド（駆動源）により駆動することによって前記下ストッパおよび上ストッパを商品収容通路に交互に突出させて商品を一個ずつ搬出するように構成されており、また、商品収容通路（コラム）に収容された商品を検知するマイクロスイッチからなる商品検知スイッチ（売切れスイッチ）が設けられている。
【０１４７】
一方、前記本体キャビネット１の機械室には自動販売機の全体を制御するマスター制御部に接続されるところの、金銭処理部、冷却制御部、販売制御部などのスレーブ制御部を内蔵する電装ボックス（不図示）が配設されており、当該電装ボックスと商品搬出機構１４３，１４３とがベンド配線ＶＷにより接続されている。
【０１４８】
前記ベンド配線ＶＷは電源線、制御線からなるとともに配線接続用カプラＣＰにより本体側ベンド配線ＶＷ１と機構側ベンド配線ＶＷ２に分離可能である。前記本体側ベンド配線ＶＷ１は前後２コラム（２つの商品搬出機構１４３，１４３）ごとに分けられて電装ボックスが配設された機械室から庫内の側壁（断熱仕切板１１）に沿って商品搬出機構１４３，１４３の近傍位置まで引き回され、その途中位置（つまり、シュータ２を横切る位置）において庫内の側壁（断熱仕切板１１）に設けた配線カバー１１Ａ１、１１Ａ２、１１Ａ３により覆われたうえで配線接続用カプラＣＰを介して機構側ベンド配線ＶＷ２とそれぞれ接続されている。前記電装ボックスからは商品搬出機構１４３，１４３のソレノイドに販売信号（駆動信号）が送出される一方、商品搬出機構１４３，１４３からは電装ボックスに商品の売切れ信号が送出されるように構成されている。前記ベンド配線ＶＷのうち、本体側ベンド配線ＶＷ１がサーペンタイン式の商品収納ラックの商品搬出機構１４３，１４３とスラント式の商品収納ラック２０の商品搬出機構に共通に用いられるものである。
【０１４９】
次に、上記商品支持ユニット３０の変形例の構成について図１５を用いて説明する。図に示すように、商品支持ユニット３０は左右一対の挟持部材３１ａ，３１ａ、この挟持部材３１ａ，３１ａを連結する前後の連結部材３２ａ，３３ａ、および後方の連結部材３３ａの上に設置された商品搬出機構３４ａからなる。
【０１５０】
前記左右一対の挟持部材３１ａ，３１ａは一方の面に潤滑塗膜が施された薄板の塗膜鋼板（以下、単に薄板鋼板ともいう）によりＬ字状に形成された長尺の部材からなり、それぞれ所定の間隙ｔをおいて対向配置されている。前記間隙ｔを形成する左右一対の挟持部材３１ａ，３１ａの脚端部は一方の面（塗膜面）が外側となるように折り曲げによりダブルホールド（参照符号３５ａを付している）されており、間隙ｔを形成する脚端部の上下両面が塗膜面（すなわち、潤滑性が良好な面）となっている。
【０１５１】
なお、ダブルホールド３５ａ，３５ａの前端寄りには商品支持ユニット３０ａへの商品収容限界の目印としての切欠３５Ａａが形成されている。前記左右一対の挟持部材３１ａ，３１ａによりパウチ商品を吊下げ支持するのであるが、パウチ商品の装填（補充）については後述することとする。なお、間隙ｔを含むダブルホールド３５ａ，３５ａの上部領域を商品収容通路という。
【０１５２】
前記連結部材３２ａ，３３ａは左右一対の挟持部材３１ａ，３１ａを囲繞するような枠体として構成され、前記左右一対の挟持部材３１ａ，３１ａにそれぞれねじにより強固に固着され、これにより左右一対の挟持部材３１ａ，３１ａのそれぞれの脚端部（ダブルホールド３５ａ，３５ａ）の間の間隙ｔが一定に保たれている。また、前方側の連結部材３２ａには正面視Ｔ字状の取付片３２１ａが一体に形成されている。この取付片３２１ａは商品収納ラック２０の梁部材２４に係合するものであり、その上端は鉤状に折り曲げられ、かつ、脚片中央付近にはねじ孔３２２ａが形成されている。
【０１５３】
なお、符号３２３ａは、Ｌ字状の左右一対の挟持部材３１ａ，３１ａにおける脚端部を除く前面を覆うように連結部材３２ａに一体に設けられたカバーであり、前記挟持部材３１ａ，３１ａを連結部材３２ａに固着するところの連結部材３２ａの内部に突出するねじの端部を覆って当該ねじの端部に手が触れるのを防止するためのものである。
【０１５４】
一方、後方側の連結部材３３ａは左右一対の挟持部材３１ａ，３１ａの底壁外周面に回り込むことなく、左右一対のＬ形の挟持部材３１ａ，３１ａを、その上面外周からそれぞれの側壁外周を囲い込み、それぞれの側壁に次に述べるように固着されている。
【０１５５】
すなわち、連結部材３３ａは断面逆Ｕ字状に形成され、逆Ｕ字状脚片の側面部にそれぞれ前方係合爪３３１ａ，３３１ａ（図１５の（ａ）参照）、後方係合爪３３２ａ，３３２ａ（図１５の（ｂ）参照）が設けられ、前方係合爪３３１ａ，３３１ａが左右の挟持部材３１ａ，３１ａのそれぞれの側壁に穿孔された開口３１１ａ，３１１ａに嵌め込んで係止される一方、後方係合爪３３２ａ，３３２ａが左右の挟持部材３１ａ，３１ａのそれぞれ側壁後縁に係止されている。
【０１５６】
そして、連結部材３３ａの逆Ｕ字状脚片を左右の挟持部材３１ａ，３１ａのそれぞれの側壁にねじにより固着することにより両者が強固に結合されている。なお、前記連結部材３３ａには左右方向に突出する取付具３３３ａが折り曲げ加工により一体的に形成されており、この取付具３３３ａの頭部には段付ねじ３３４ａが螺着されており、この段付ねじ３３４ａを介して商品収納ラック２０における後方側の縦フレーム材２３，２３に装着される。
【０１５７】
なお、図１５における符号３４３ａは商品搬出機構３４ａのカバー３４２ａに取付けられた防護部材を示しており、この防護部材３４３ａは、配線接続用カプラＣＰ１の上部領域を覆って結露による水滴などから配線接続用カプラＣＰ１を保護するものである。
【０１５８】
前記商品支持ユニット３０ａの後方に配設された商品搬出機構３４ａは、ベース３４１ａとカバー３４２ａとからなる箱体の内部に搬出機構が組み込まれたものであり、それを図１６に示す。
【０１５９】
図１６の（ａ）は、前記商品搬出機構３４ａのカバー３４２ａを取り外した状態の斜め上方から見た斜視図であり、図１６の（ｂ）は、商品搬出機構３４ａの主要な構成部品を分解して示す要部拡大斜視図であり、先ず商品搬出機構３４ａの構成部品を説明したうえで個々の構成部品の詳細を説明する。
【０１６０】
図において、符号４０ａは、駆動源としてのソレノイドであり、このソレノイド４０ａのプランジャー４１ａにはストッパ部材４２ａが連結されている。ストッパ部材４２ａは、プランジャー４１ａの移動方向に平行な長孔４３ａ，４３ａに段付ねじ４２１ａ，４２１ａが遊嵌されており、プランジャー４１ａの移動方向にスライド自在に配設されるとともに復帰ばね４４ａが装着されている。
【０１６１】
また、前記ストッパ部材４２ａの後端部には下方に延在する第１のストッパ４５ａおよび第２のストッパ４６ａが形成されている。なお、第２のストッパ４６ａはベース３４１ａおよび左右一対の挟持部材３１ａ，３１ａを連結する連結部材３３ａに設けた開口（不図示）を貫通して下方に延在している。また、第２のストッパ４６ａには図１５の（ｂ）に示したように先端に折り曲げにより後方側に向かって傾斜した押圧片４６２ａを備えた係止部材４６１ａが係止されている。
【０１６２】
前記第１のストッパ４５ａは一対の挟持部材３１ａ，３１ａの後端部に位置し、第２のストッパ４６ａは第１のストッパ４５ａから所定距離だけ前方側に離れた位置に配置されている。そして、販売待機状態（ソレノイド４０ａの非励磁状態）では第１のストッパ４５ａが左右一対の挟持部材３１ａ，３１ａにより形成された間隙ｔ（商品収容通路）に臨んで位置しており、第２のストッパ４６が前記間隙ｔから左右方向にずれた位置に退避しており、ソレノイド４０ａが励磁された販売時には第１のストッパ４５ａが前記間隙ｔから退避し、第２のストッパ４６ａが前記間隙ｔに臨むように移動するものである。
【０１６３】
商品検知スイッチ４７ａに電源を供給する電源線、および商品検知スイッチ４７ａからの検知信号を伝達する信号線からなる配線４７１ａはソレノイド４０ａへの信号線４０１ａとともに商品搬出機構３４ａのカバー３４２ａに固着された配線接続用カプラＣＰ１に接続されている。
【０１６４】
商品支持ユニット３０ａの商品収納ラック２０への装着を説明する。まず、商品収納ラック２０を構成する前方側の縦フレーム材２３，２３の間から商品支持ユニット３０ａを挿入する。この場合、左右の取付具３３３ａ，３３３ａが鉛直線上に並ぶように商品支持ユニット３０ａを横向きに倒した状態で挿入する。これは前記左右の取付具３３３ａ，３３３ａが水平線上に位置する姿勢で商品支持ユニット３０ａを縦フレーム材２３，２３の間に挿入すると前記取付具３３３ａ，３３３ａが左右の縦フレーム材２３，２３に当接して挿入の妨げとなるので、これを避けるためである。
【０１６５】
そして、商品支持ユニット３０ａの取付具３３３ａ，３３３ａが前方側の縦フレーム材２３，２３の間を通過した段階で商品支持ユニット３０ａを元の姿勢に戻しつつ商品支持ユニット３０ａを後方に移動させ、商品支持ユニット３０ａの前方の連結部材３２ａ（図１５参照）に形成されたＴ字形の取付片３２１ａを梁部材２４に係合させて仮固定する。次いで、商品支持ユニット３０ａの取付具３３３ａ，３３３ａの頭部に螺着された段付ねじ３３４ａを、商品収納ラック２０を構成する後方側の縦フレーム材２３，２３に形成された係止溝（不図示）に挿入させて固定する。この状態で商品支持ユニット３０ａの前方側の連結部材３２ａに形成されたＴ字形の取付片３２１ａを梁部材２４にねじ止めする。このようにして商品収納ラック２０に装着された商品支持ユニット３０ａは前方側（商品補充側）が高く、後方側（商品搬出機構３４ａ側）が低くなるように傾斜した状態となる。
【０１６６】
このようにして上下４段に架設された商品支持ユニット３０ａのそれぞれの商品搬出機構３４ａの配線接続用カプラＣＰ１（図１５、図１６参照）にはベンド配線ＶＷ（図１４参照）のうちの機構側ベンド配線ＶＷ２の他端が接続される。ここでは商品支持ユニット３０ａが上下４段、すなわち、４コラムであることから機構側ベンド配線ＶＷ２は、サーペンタイン式の商品収納ラックの商品搬出機構（前後２コラムのそれぞれの商品搬出機構を背中合わせに組み付けてなる）に倣って上２段の商品支持ユニット３０ａ（２コラム）の商品搬出機構３４ａと下２段の商品支持ユニット３０ａ（２コラム）の商品搬出機構３４ａとにそれぞれ２コラム毎に分けたうえで後方側の縦フレーム材２３，２３に沿って引き回して各本体側ベンド配線ＶＷ１に接続される。この機構側ベンド配線ＶＷ２は本体側ベンド配線ＶＷ１と配線接続用カプラＣＰを介して接続されるものであるが、この接続作業については後述するのでここではその説明を割愛する。
【０１６７】
この実施の形態においては、前述したように本発明に係るスラント式の商品収納ラック２０をサーペンタイン式の商品収納ラックと構造上の互換性を持たせ、既設の自動販売機のサーペンタイン式の商品収納ラックと交換することができるうえに電気的（制御プログラム）にも互換性を持たせている。これは、サーペンタイン式の商品収納ラックの商品搬出機構１４３（図１４の（ｂ）参照）においては販売商品を係止する下ストッパと次販売商品を係止する上ストッパとをソレノイド（駆動源）により駆動することによって前記下ストッパおよび上ストッパを商品通路に交互に突出させて商品を一個ずつ販売するように構成されていることに鑑み、本発明に係るスラント式の商品収納ラック２０においても商品搬出機構３４ａの駆動源としてソレノイド４０ａを用い、このソレノイド４０ａによりストッパ部材４２ａを駆動して販売商品を係止する第１のストッパ４５ａおよび次販売商品を係止する第２のストッパ４６ａが左右一対の挟持部材３１の隙間ｔに交互に出没するように構成したものである。また、スラント式の商品収納ラック２０に装填された商品を検出する商品検知スイッチ４７ａを備えており、この商品検知スイッチ４７ａから商品の売切れ信号を出力するように構成されている。このような商品搬出機構３４ａおよび商品検知スイッチ４７ａを用いることによりサーペンタイン式の商品収納ラックの商品搬出機構１４３に供給される信号により商品搬出機構３４ａが商品搬出動作を実行し、商品検知スイッチ４７ａが自動販売機の電装ボックスに売切れ信号を送出する。つまり、サーペンタイン式の商品収納ラックを搭載した既設の自動販売機の制御プログラムを何ら変更することなく本発明に係るスラント式の商品収納ラック２０をサーペンタイン式の商品収納ラックと交換して次のように配線接続を行うことによって直ちに自動販売機を稼動させることができるものである。
【０１６８】
すなわち、図１４の（ａ）に示したように、ベンド配線ＶＷのうち電装ボックスに接続された本体側ベンド配線ＶＷ１は予め図示のとおりに敷設されている。ここで、図１４の（ｂ）を用いてサーペンタイン式の商品収納ラック１４１のベンド配線ＶＷについて説明したとおり、ベンド配線ＶＷのうち電装ボックスに接続された本体側ベンド配線ＶＷ１は本体キャビネット１の機械室に設置された電装ボックスとサーペンタイン式の商品収納ラック１４１の商品搬出機構１４３，１４３の近傍まで引き回して予め敷設されているので、この本体側ベンド配線ＶＷ１にスラント式の商品収納ラック２０の商品搬出機構３４ａに接続された機構側ベンド配線ＶＷ２を、配線接続用カプラＣＰを介して接続すればベンド配線ＶＷの接続作業が完了する。つまり、スラント式の商品収納ラック２０の商品搬出機構３４ａの制御形態をサーペンタイン式の商品収納ラック１４１（もしくは１２１）の商品搬出機構１４２の制御形態と同一としたことにより、ベンド配線ＶＷのうち電装ボックスに接続された本体側ベンド配線ＶＷ１はサーペンタイン式の商品収納ラック１４１（もしくは１２１）の商品搬出機構１４３およびスラント式の商品収納ラック２０の商品搬出機構３４ａに共通に用いることができるものである。これにより既設の自動販売機のサーペンタイン式の商品収納ラック１４１とスラント式の商品収納ラック２０とを交換する場合にもベンド配線ＶＷの接続作業を簡単に行うことができる。また、逆にスラント式の商品収納ラック２０をサーペンタイン式の商品収納ラックに戻す際、あるいはスラント式の商品収納ラック２０を搭載して出荷した自動販売機におけるスラント式の商品収納ラック２０をサーペンタイン式の商品収納ラックと交換する際にもベンド配線の接続作業を簡単に行うことができるものである。
【０１６９】
上記商品搬出機構３４の他の変形例である商品搬出機構３４ｂについて説明する。図１７の（ａ）は、商品搬出機構３４ｂの内部構造を斜め上方から見た斜視図であり、図１７の（ｂ）は商品搬出機構３４ｂの要部拡大平面図であり、図１７の（ｂ）では一対の挟持部材３１ｂ，３１ｂに吊下げ支持された商品（後述するパウチ商品）をも示している。
【０１７０】
図において、符号４０は駆動源としてのソレノイドを示しており、このソレノイド４０ｂのプランジャー４１ｂにはピン４４ｂを介してストッパ部材４２ｂが連結されている。
【０１７１】
ストッパ部材４２ｂはプランジャー４１ｂの移動方向（白抜き矢印方向）にスライド自在に配設されるとともに復帰ばね４３ｂが装着されている。また、前記ストッパ部材４２ｂには商品収容通路を塞ぐように横方向に延在する第１係止部４５ｂおよび第２係止部４６ｂ（図１７の（ｂ）参照）が形成されている。図１７の（ｂ）に示すように、前記第１係止部４５ｂは左右一対の挟持部材３１ｂ，３１ｂにより形成される商品収容通路を塞ぐように横方向に延在する販売順位一番の商品（販売商品）を係止するストッパ部４５１ｂおよび当該ストッパ部４５１ｂから前方側に折り曲げられた保持部４５２ｂを備え、第２係止部４６ｂは商品収容通路方向に対して直角方向に延在してなる。
【０１７２】
ここで、図１７の（ｂ）に示すように、左右一対の挟持部材３１ｂ，３１ｂは一方の挟持部材３１ｂ（図では右方の挟持部材３１ｂ）の長さが少なくとも商品一個分の長さだけ短く形成されてなり、一方の挟持部材３１ｂの後端部が他方の挟持部材３１ｂの後端部に対して商品一個部だけ前方側に位置するようにずらして配設され、これにより他方の挟持部材３１ｂに対して一方の挟持部材３１ｂが欠落してなるところの排出空間ＤＳが形成されている。かかる左右一対の挟持部材３１ｂ，３１ｂに対して前記第１係止部４５ｂのストッパ部４５１ｂは他方の挟持部材３１ｂ（図では左方の挟持部材３１ｂ）の後端部の略鉛直線上に位置するとともに保持部４５２ｂが排出空間ＤＳに位置し、第２係止部４６ｂは第１係止部４５ｂのストッパ部４５１ｂから所定距離だけ前方側に離れた位置に配置されている。
【０１７３】
そして、販売待機状態（ソレノイド４０ｂの非励磁状態）では第１係止部４５ｂの保持部４５２ｂが商品収容通路に臨んで位置しており、第２係止部４６ｂが商品収容通路から左右方向にずれた位置に退避しており、ソレノイド４０ｂが励磁された販売時には第１係止部４５ｂの保持部４５２ｂが商品収容通路から退避し、第２係止部４６ｂが商品収容通路に臨むように移動するものである。
【０１７４】
なお、符号４７ｂはマイクロスイッチからなる商品検知スイッチ（売切れスイッチ）を示し、マイクロスイッチの操作レバー４７１ｂ（図１７の（ｂ）参照）が商品収容通路に臨むように配設されている。
【０１７５】
図１８は、上記商品搬出機構３４の更に他の変形例を示すものであり、（ａ）は販売待機時の平面図、（ｂ）は販売動作時の平面図である。なお、上述した実施の形態と同様の構成を有するものには同一の符号を付してその説明を省略する。また、この変形例では商品搬出機構３４ｃの主要部のみを示しており、図示では紙面の下方が商品収容通路の搬出端である。
【０１７６】
図において、４０ｃはソレノイドであって図示せぬベースに固定されている。前記ソレノイド４０ｃのプランジャー４１ｃには作動リンク６０ｃの一端が連結されている。この作動リンク６０ｃは平板を切削・折り曲げにより形成され、プランジャー４１ｃに連結された連結板から下方（図では紙面に対して背面側）に延在するように折り曲げられた垂下板の下部から商品収納通路の搬出端に向けて延在するように切削して形成されたピン受け板により構成され、そのピン受け板の先端側にピン６１ｃが上方（図では紙面に対して前面側）を向くように植設されている。
【０１７７】
なお、作動リンク６０ｃは下方に延在する垂下板が前述したベースを貫通するとともに前後方向（図では紙面に対して上下方向であり、プランジャー４１ｃの移動方向）にスライド移動自在に配設されている。
【０１７８】
符号７０ｃはストッパ部材を構成するところの「く」字形に形成されたホイールを示しており、商品支持ユニット３０ａに吊下げ収容された販売順位一番のパウチ商品１００（販売商品）におけるキャップ１０６の側方に配設されている。
【０１７９】
前記ホイール７０ｃの一端側（商品収容通路の搬出端側）は販売商品を係止する第１係止部７１ｃとして形成され、他端が次販売商品を係止する第２係止部７２ｃとして形成されている。
【０１８０】
また、前記ホイール７０ｃには前記ピン６１ｃが嵌合する嵌合溝７３ｃが形成され、当該嵌合溝７３ｃには前記ピン６１ｃと係合する係合突起７３Ａｃが形成されている。
【０１８１】
そして、前記ホイール７０ｃの第１係止部７１ｃと第２係止部７２ｃとの略中間位置には軸７４ｃが形成されており、この軸７４ｃが前述したベースに回転可能に軸支されている。
【０１８２】
前記ホイール７０ｃは前記軸７４ｃを支軸として回動自在であり、販売待機状態（ソレノイド４０ｃの非励磁状態）では第１係止部７１ｃが一対の挟持部材３１ｃ，３１ｃにより形成された間隙ｔ、つまり、商品収容通路に進出し、第２係止部７２ｃが商品収容通路から退避しており、ソレノイド４０ｃが励磁された販売動作時には第１係止部７１ｃが商品収容通路から退避し、第２係止部７２ｃが商品収容通路に進出するように移動した後ソレノイド４０ｃが非励磁状態になると元の状態に復帰するものである。
【０１８３】
このようにホイール７０ｃは第１係止部７１ｃおよび第２係止部７２ｃを交互に商品収容通路に出没するように反復動作して商品の搬出を実行するものである。
【０１８４】
図１８の（ａ）に示す販売待機状態においてはソレノイド４０ｃが非励磁状態にあり、ホイール７０ｃの第１係止部７１ｃが商品収容通路（左右一対の挟持部材３１ｃ，３１ｃの間の間隙ｔの近傍）に進出して販売商品を係止している。一方、ホイール７０ｃの第２係止部７２ｃは商品収容通路から退避している。
【０１８５】
なお、販売待機状態では作動リンク６０ｃのピン６１ｃがホイール７０ｃの嵌合溝７３ｃに形成された係合突起７３Ａｃと係合してホイール７０ｃの回動を阻止（ロック）しており、商品収容通路に進出したホイール７０ｃの第１係止部７１ｃが販売商品を係止している。
【０１８６】
いま、外扉に設けられた商品選択ボタンが操作されると不図示の制御部から対応する商品搬出機構３４ｃ（ソレノイド４０ｃ）に所定時間幅の励磁信号（販売信号）が供給される。前記ソレノイド４０ｃが励磁されるとプランジャー４１ｃを介して作動リンク６０ｃが図において上方にスライド移動し、作動リンク６０ｃのピン６１ｃがホイール７０ｃの嵌合溝７３ｃに形成された係合突起７３Ａｃから外れてホイール７０ｃのロックが解除される。前記ホイール７０ｃのロックが解除されると販売商品はその自重により商品収容通路の搬出端に向けて滑動を開始する。
【０１８７】
この販売商品の滑動によりホイール７０ｃは軸７４ｃを中心として反時計方向に回動し、その第１係止部７１ｃが商品収容通路から退避するとともに第２係止部７２ｃが商品収容通路に進出して次販売商品を係止する。この状態を図１８の（ｂ）に示している。
【０１８８】
この場合、作動リンク６０ｃのピン６１ｃはホイール７０ｃの嵌合溝７３ｃの端部に形成された斜面（ホイール７０ｃが商品荷重を受けて時計方向に回動しようとする分力に直角の斜面）に当接しており、これにより次販売商品が第２係止部７２ｃに係止されて一旦保持される。ホイール７０ｃの第１係止部７１ｃとの係止を解かれた販売商品は自重により滑動して商品支持ユニット３０ａから排出され、図２に示す商品収納ラック２０の送出部材２７を介してシュータ２に送出される。
【０１８９】
そして、前記ソレノイド４０ｃへの励磁信号が遮断されるとプランジャー４１ｃが不図示の復帰ばねにより元の位置（図１８の（ａ）の状態）に復帰すると作動リンク６０ｃのピン６１ｃがホイール７０ｃの嵌合溝７３ｃに嵌り込む過程においてホイール７０ｃを反時計方向に回動させる。
【０１９０】
したがって、ホイール７０ｃの第１係止部７１ｃが商品収容通路に進出し、第２係止部７２ｃが商品収容通路から退避する。これにより第２係止部４３４に保持されていた次販売商品以降の商品は商品支持ユニット３０ａの搬出端に向かって滑動した後、次販売商品が販売商品として第１係止部７１ｃに係止されて販売待機状態となる。
【０１９１】
この変形例によれば、図１８に例示したように商品支持ユニット３０ａに吊下げ収容された商品の間に隙間がない場合にもホイール７０ｃにより確実に一個ずつ安定して搬出することができるものである。
【符号の説明】
【０１９２】
１  本体キャビネット
２  シュータ
３  圧縮機
４  凝縮器
６  蒸発器
９  循環用ダクト
１０  外扉
１２，１３，１４  商品収納室
１５  内扉
２０  商品収納ラック
２１  上部支持フレーム材
２２  下部支持フレーム材
２３  縦フレーム材
２４  梁部材  
３０  商品支持ユニット
３１  挟持部材
３２，３３  連結部材
３４  商品搬出機構
３６  厚み規制部材（ダブルホールド）
３７  幅規制部材
４０  ソレノイド（駆動源）
４１  プランジャー
４２  ストッパ部材
４４  復帰ばね
４５  第１のストッパ
４６  第２のストッパ
４７  商品検知スイッチ（売切れスイッチ）
５０  本体側フック金具
５１  アダプター部材
５２  ラック固定金具
５７  ラック側フック金具
５４  ラック側フック
１００，２００  パウチ商品
【図１】
2020107049.tif 000003
【図２】
2020107049.tif 000004
【図３】
2020107049.tif 000005
【図４】
2020107049.tif 000006
【図５】
2020107049.tif 000007
【図６】
2020107049.tif 000008
【図７】
2020107049.tif 000009
【図８】
2020107049.tif 000010
【図９】
2020107049.tif 000011
【図１０】
2020107049.tif 000012
【図１１】
2020107049.tif 000013
【図１２】
2020107049.tif 000014
【図１３】
2020107049.tif 000015
【図１４】
2020107049.tif 000016
【図１５】
2020107049.tif 000017
【図１６】
2020107049.tif 000018
【図１７】
2020107049.tif 000019
【図１８】
2020107049.tif 000020